(57)【特許請求の範囲】
【請求項１】
原稿を読取り画像データを取得する読取センサと、前記原稿を搬送する搬送手段と、前記原稿の搬送方向に対して垂直方向の移動を規制するガイド板と、前記ガイド板が移動可能に取り付けられると共に前記原稿を支持する原稿台とを有する画像読取装置において、
前記原稿台の表面に表示された指標であって、前記指標が前記搬送方向に対して垂直方向に平行に複数の区分に分けられて表示され、前記区分毎の前記指標は前記原稿の幅を表す同一系列の目盛であり、前記ガイド板には開口した窓が複数形成され、前記窓が前記同一系列の目盛の位置に対応して設けられ、
前記ガイド板は、前記搬送方向に対して垂直方向に前記原稿が移動することを規制するガイド部と、前記ガイド部の底部に前記原稿台に平行に対向して備えられた平板部と、前記平板部の前記搬送方向の上流であって端部に前記原稿台を挟み込み、前記原稿台に前記ガイド板を移動可能に固定する押え部が延設されていることを特徴とする画像読取装置。
【請求項２】
前記平板部と前記押え部の間に窓部が形成されていることを特徴とする請求項１に記載の画像読取装置。
【請求項３】
前記平板部は前記ガイド部の両サイドに対称形状に形成されていることを特徴とする請求項２に記載の画像読取装置。
【請求項４】
請求項１から請求項３の何れか１項に記載の画像読取装置と、記録媒体を搬送する搬送手段と、前記記録媒体に前記画像データに基づいて画像を記録する画像形成手段と、を有することを特徴とする画像形成装置。
【発明の詳細な説明】
【技術分野】
【０００１】
本発明は、画像読取装置および画像形成装置に関する。特に幅広の原稿を読取る画像読取装置および画像形成装置に関する。
【背景技術】
【０００２】
様々な幅の原稿を読取る画像読取装置や画像読取装置を備えた画像形成装置が知られている。このような装置では、読取センサの幅に応じて最大読取範囲が定まる。この最大読取範囲内において様々な幅の原稿を読取ることができる。画像読取装置には、原稿をガラスなどの台の上に載せて読取センサを移動させながら読取るタイプと読取センサを固定して原稿を移動させながら読取るタイプがある。原稿を移動させながら読取る画像読取装置の場合は、読取る原稿幅を機器に設定し、更に予め決められた位置に原稿をセットしてから読取る必要がある。そのため画像読取装置には原稿載置部が備えられ、原稿を載置する台と原稿を案内するガイド板が備えられている。画像読取装置には、セットされた原稿幅に合わせて移動するガイド板の位置によって原稿幅を自動的に検出する装置もある。また、例えば特開２００２−６８５３４号公報のように、原稿幅を確認する為にスキャナ本体の挿入部の上面へ張り出すようにして透明樹脂製のガイド板を設け、そこに指標を印刷したスケール付の画像形成装置も知られている。
【先行技術文献】
【特許文献】
【０００３】
【特許文献１】特開２００２−６８５３４号公報
【発明の概要】
【発明が解決しようとする課題】
【０００４】
しかし、上述のガイド板の位置に応じて原稿幅を検出する画像形成装置であっても、スケール付の画像形成装置であっても、原稿載置部に表示されている指標が狭い範囲に沢山表示されていては、原稿をセットする使用者にとって確認しにくいものとなる。例えば、通常使用されている定型のサイズを表示している場合であっても、Ａ系列、特Ａ系列、インチ系列など様々な幅の定型サイズが存在する。
【０００５】
本発明は、原稿載置部に表示される指標が使用者に識別しやすい原稿載置部およびガイド板を有する画像読取装置および画像形成装置を提供する。
【課題を解決するための手段】
【０００６】
本発明は、上述目的を達成する一手段として、以下の構成を備える。
本発明の画像読取装置は、原稿を読取り画像データを取得する読取センサと、前記原稿を搬送する搬送手段と、前記原稿の搬送方向に対して垂直方向の移動を規制するガイド板と、前記ガイド板が移動可能に取り付けられると共に前記原稿を支持する原稿台とを有する画像読取装置において、前記原稿台の表面に表示された指標であって、前記指標が前記搬送方向に対して垂直方向に平行に複数の区分に分けられて表示され、前記区分毎の前記指標は前記原稿の幅を表す同一系列の目盛であり、前記ガイド板には開口した窓が複数形成され、前記窓が前記同一系列の目盛の位置に対応して設けられ、前記ガイド板は、前記搬送方向に対して垂直方向に前記原稿が移動することを規制するガイド部と、前記ガイド部の底部に前記原稿台に平行に対向して備えられた平板部と、前記平板部の前記搬送方向の上流であって端部に前記原稿台を挟み込み、前記原稿台に前記ガイド板を移動可能に固定する押え部が延設されていることを特徴とする。
【０００８】
また、本発明の画像読取装置の前記平板部と前記押え部の間には窓部が形成されていることを特徴とする。
また、本発明の画像読取装置の前記平板部は前記ガイド部の両サイドに対称形状に形成されていることを特徴とする。
【０００９】
本発明の画像読取装置は、上述の何れかの画像読取装置と、記録媒体を搬送する搬送手段と、前記記録媒体に前記画像データに基づいて画像を記録する画像形成手段と、を有することを特徴とする。
【発明の効果】
【００１０】
本発明によれば、原稿載置部に原稿をセットするときに、原稿サイズの指標を使用者が識別しやすい画像読取装置、画像形成装置を提供できる。
【図面の簡単な説明】
【００１１】
【図１】図１は、画像読取装置の斜視図である。
【図２】図２は、原稿のガイド板の斜視図である。
【図３】図３は、原稿台の目盛の例を示す図である。
【図４】図４は、原稿台の目盛の例を示す拡大図である。
【図５】図５は、画像形成装置の構成の概要を示す図である。
【発明を実施するための形態】
【００１２】
本発明の実施形態を以下に説明する。実施形態として画像形成装置を例にする。
図５は、画像形成装置の構成の概要を示す図である。画像形成装置３０は、画像形成部２２と画像読取装置１を備える。画像形成手段２３には、装置内部に格納されたロール紙２４が供給される。ロール紙２４は、ロール状に記録媒体を巻いたものである。記録媒体は、紙、薄い扁平なプラスチックフィルムなどである。ロール紙２４は、複数の搬送ローラ２５によって画像形成手段２３に搬送され、画像形成手段２３によって画像が記録され、外部に排出される。搬送ローラ２５は記録媒体を搬送する搬送手段である。画像形成手段２３は、例えば、電子写真式記録装置、インクジェット記録装置などのプリンタ装置である。画像読取装置１は、原稿２６を画像データに光電変換する読取センサ２７を有する。画像読取装置１は、さらに、原稿２６を挟持しながら搬送する搬送ローラ２９とピンチローラ２８のローラ対を読取センサ２７の両側に有する。原稿２６は、原稿載置部である原稿台３とそこに取付けられたガイド板４によって案内されながら搬送される。ガイド板４は原稿２６の両端を案内し、原稿２６の蛇行を防止する。また、原稿台３に原稿サイズに関する指標が印刷されている。原稿２６の幅に合わせてガイド板４を移動させることで、原稿２６を案内すると同時に原稿２６の幅の確認をすることができる。
【００１３】
読取センサ２７によって取得した画像データを画像形成部２２に出力することで、取得した画像データに基づいて、例えば等倍、縮小、拡大、カラーから白黒に変換して、記録媒体すなわちロール紙２４に記録することができる。
【００１４】
次に、画像読取装置について説明する。図１は、画像読取装置の斜視図である。画像読取装置１は、原稿台３と読取部２を有する。原稿台３は、読取る原稿を載置する台である。原稿台３には、１対のガイド板４が備わっている。ガイド板４は原稿台３上を摺動できる。ガイド板４は、原稿台３に置かれた原稿の両端に合わせて固定し、その原稿が搬送されているときに蛇行しないように規制する。原稿台３の奥には読取部２が備わっている。読取部２の原稿挿入部５から原稿が読取部２内に入る。読取部２は原稿を読取り、画像データに変換する読取センサ２７が備わっている。
【００１５】
次に、ガイド板について説明する。図２は、原稿のガイド板の斜視図である。ガイド板４は、主にガイド部６と平板部７からなる。ガイド部６の両脇に平板部７が備わっている。ガイド部６は原稿の端部と接触あるいは近接して、搬送される原稿を案内する。平板部７は原稿台３に接し、移動可能に取り付けられる。平板部７は原稿台３上を摺動する。平板部７の端部に湾曲部９および押え部８がある。湾曲部９は原稿台３の端部に沿って湾曲して形成されている。押え部８は平板部７の方向に先端が近づくように形成されている。押え部８は、湾曲部９および平板部７とともに原稿台３を挟み込む。
【００１６】
ガイド部６の両サイドは直線状に形成された壁であり、そのエッジ部分が目盛合わせ部１２である。原稿台３に書かれている目盛線と目盛合わせ部１２を合わせるように使用する。平板部７には、原稿台３に書かれている目盛文字を表示する為に、表裏を貫通する第１窓１０と第２窓１１が形成されている。第１窓１０と第２窓１１の位置は後述する原稿台３上に表示されている目盛文字の位置に応じて開口されている。第２窓１１によって湾曲部９は平板部７に比べ細く形成されている。これにより、原稿台３を挟んでいるときに、摺動可能に適度なバネ性を持たせることができる。
【００１７】
また、平板部７の端部にはテーパー部１３が形成されている。これは、搬送される原稿を逆戻しする場合があり、その時に原稿が平板部７の下に入り込まないように案内するためである。また、原稿の幅にガイド板４を合わせる時に、原稿を平板部７の上に滑らかに導くためである。
【００１８】
また、ガイド板４は左右対称に形成されている。ガイド板４は２個一組で使用され、それぞれのガイド板４は原稿台３に着脱自在に取り付けられる。それぞれのガイド板４を原稿台３に取り付けるときに、左右どちらに配置しても同様の機能を有するようにできる。これによって使用者はガイド板４の左右方向の取り付け位置に悩む必要がなくなる。また、ガイド板４の左右に平板部７があるので、ガイド板４はガイド部６を中心に左右のガタツキを抑えることができる。
【００１９】
次に、原稿台に表示されている目盛について説明する。図３は、原稿台の目盛の例を示す図である。原稿台３は原稿の載置部である。ここに原稿の幅を示す指標である目盛を、目盛線および目盛線の位置に応じてサイズを示す目盛文字に分けて印刷している。
【００２０】
原稿台３を原稿の搬送方向に複数部分、ここでは３部分、に区分されてそれぞれの部分に対応して目盛が印刷されている。それぞれの目盛は、第１目盛列の目盛１４、第２目盛列の目盛１５、第３目盛列の目盛１６である。それぞれの目盛は、定型の用紙サイズ毎に、すなわち定型用紙の系列毎に目盛線と目盛文字が印刷されている。ガイド板４の目盛合わせ部１２を目盛線に合わせると、その目盛線に対応した系列の目盛文字が、第１窓１０、第２窓１１あるいはガイド板４の先端部分の目盛合わせ部１２付近に示される。どの部分に目盛文字が表示されるかは、合わせた目盛線に対応している。
【００２１】
さらに説明する。図４は、原稿台の目盛の例を示す拡大図である。第１目盛列１７は、原稿台３の原稿の搬送方向の先方に印刷されている。第２目盛列１８は、原稿台３の原稿の搬送方向の先方に印刷されている。第１目盛列１７は第２目盛列１８の目盛線より短く印刷し、区分された部分が識別可能に分けてある。第２目盛列１８の目盛文字は、原稿台３の原稿の搬送方向の中央付近に表示されている。また、第３目盛列１９は原稿台３の原稿の搬送方向の後方に印刷されている。各目盛線２０に対応してその目盛線が示す用紙サイズを示す目盛文字２１が、各目盛線２０の端部に印刷されている。目盛線２０に合わせて目盛合わせ部１２を移動したときに、窓から目盛文字を確認できる。そのとき、第１目盛列１７の目盛文字はガイド板４の先端部分の目盛合わせ部１２付近に示される。第２目盛列１８の目盛文字は第１窓１０の中に表示される。第３目盛列１９の目盛文字は第２窓１１の中に表示される。これにより、ガイド板４を原稿端に合わせたときに、原稿サイズが視認しやすく、容易に原稿のサイズを確認できる。
【産業上の利用可能性】
【００２２】
本発明は、原稿を読取る画像読取装置、画像読取装置で読取った画像データを記録する記録装置に利用できる。
【符号の説明】
【００２３】
１  画像読取装置
２  読取部
３  原稿台
４  ガイド板
５  原稿挿入部
６  ガイド部
７  平板部
８  押え部
９  湾曲部
１０  第１窓
１１  第２窓
１２  目盛合せ部
１３  テーパー部
１４  第１目盛列の目盛
１５  第２目盛列の目盛
１６  第３目盛列の目盛
１７  第１目盛列
１８  第２目盛列
１９  第３目盛列
２０  目盛線
２１  目盛文字
２２  画像形成部
２３  画像形成手段
２４  ロール紙
２５  搬送ローラ
２６  原稿
２７  読取センサ
２８  ピンチローラ
２９  搬送ローラ
３０  画像形成装置
【図１】
0005523946.tif 000002
【図２】
0005523946.tif 000003
【図３】
0005523946.tif 000004
【図４】
0005523946.tif 000005
【図５】
0005523946.tif 000006